(57)【要約】【課題】タンパーエビデント機能とチャイルドレジスタンス機能とを併せ持ち、２部品のみからなるキャップを得る。【解決手段】中央に開口部を有する外天板部と、外天板部に連結部で接続された中央ボタンと、外天板部の周縁から下方に延びた外側壁とを備えた外キャップと、内天板部と、内天板部の周縁から下方に延びた内側壁とを備え、容器に着脱可能に装着される内キャップと、を含み、内天板部に中央ボタンが周方向に固定されるように、内キャップを外キャップ内に嵌め合わせたキャップを提供する。このキャップは、容器が閉栓された後に一度も開栓されたことがない第１状態において、外キャップを緩め方向に回転させた場合または上方に移動させた場合に、連結部が破断されて外天板部から中央ボタンが分離して、外キャップのみが緩め方向に回転する第２状態となる。【選択図】図２
2019182479.tif 000002
【特許請求の範囲】
【請求項１】
中央に開口部を有する外天板部と、前記外天板部に連結部で接続された中央ボタンと、前記外天板部の周縁から下方に延びた外側壁とを備えた外キャップと、
内天板部と、前記内天板部の周縁から下方に延びた内側壁とを備え、容器に着脱可能に装着される内キャップと、を含み、
前記内天板部に前記中央ボタンが周方向に固定されるように、前記内キャップを前記外キャップ内に嵌め合わせたキャップであって、
前記容器が閉栓された後に一度も開栓されたことがない第１状態において、前記外キャップを緩め方向に回転させた場合または上方に移動させた場合に、前記連結部が破断されて前記外天板部から前記中央ボタンが分離して、前記外キャップのみが緩め方向に回転する第２状態となることを特徴とするキャップ。
【請求項２】
前記内キャップは、
中心軸を中心とする円板形状の前記内天板部と、
前記内天板部の周縁から下方に延びた円筒形状の前記内側壁と、
前記内側壁の径方向内側表面に形成され、前記容器の雄ねじに着脱可能に嵌め合わされる雌ねじと、
前記内天板部上に形成された内噛合部と、を備え、
前記外キャップは、
前記開口部の周囲に配置され、前記中心軸を中心とする前記外天板部と、
前記開口部内に配置され、前記外天板部に前記連結部で接続された前記中央ボタンと、
前記外天板部の周縁から下方に延びた前記外側壁と、を備え、
更に、前記外天板部は、前記開口部の周縁から径方向内向きに突出した内向き突出部であって、前記内向き突出部の締め方向の縁から下方に延びた垂直壁と、前記内向き突出部の裏面に、締め方向から緩め方向に向かって前記内向き突出部の軸方向の厚さが漸次減少する傾斜面と、を有する前記内向き突出部を備え、
前記中央ボタンは、
径方向外向きに突出した外向き突出部と、
前記外向き突出部の表面の締め方向の縁に形成され、緩め方向から締め方向に向けて下る斜面を有するスロープと、を備え、
前記外キャップに締め方向の力を加えた場合、前記内向き突出部の前記垂直壁が、前記中央ボタンの前記外向き突出部を締め方向に押し、これにより、締め方向の力が前記内キャップに伝わり、前記連結部を破断することなく前記内キャップを前記容器に対して相対的に締め方向に回転させて閉栓可能であり、
前記外キャップに緩め方向に力を加えた場合、前記内向き突出部が、前記中央ボタンの前記外向き突出部に対して相対的に緩め方向に移動し、これによって、前記連結部が破断し、前記外天板部から前記中央ボタンが分離して下方に変位するとともに、前記外キャップは、前記第２状態に移行することを特徴とする請求項１に記載のキャップ。
【請求項３】
前記第２状態において、
前記外キャップに緩め方向の力を加えた場合、前記内向き突出部の前記傾斜面は、前記中央ボタンの前記外向き突出部の前記スロープに接触し、その後、前記スロープの上を滑り、前記中央ボタンの前記外向き突出部の上に乗り、これにより、前記容器に対して前記内キャップを相対的に緩め方向に回転させることができず、
前記外キャップに、下向きの力を加えつつ緩め方向の力を加えた場合、前記内向き突出部の前記傾斜面は、これに接触した前記中央ボタンの前記外向き突出部の前記スロープを押し、これにより、緩め方向の力が前記内キャップに伝わり、前記内キャップを前記容器に対して相対的に緩め方向に回転させて開栓することを特徴とする請求項２に記載のキャップ。
【請求項４】
前記中央ボタンは、
前記中央ボタンの裏面から下方に突出し、前記外キャップと前記内キャップとが一体的に中心軸を中心に回転するように前記内キャップの前記内噛合部と噛み合う外噛合部と、
前記中央ボタンの裏面に形成され、前記内キャップに設けられた内係合部に当たって、前記内キャップに対する前記中央ボタンの相対的な上方移動を制限する外係合部と、を更に備えることを特徴とする請求項２または３に記載のキャップ。
【請求項５】
容器の口部に着脱可能に装着される内キャップと、前記内キャップを覆い、かつ、前記内キャップに対して相対的に回転可能に嵌め合わされた外キャップと、を備え、タンパーエビデント機能とチャイルドレジスタンス機能とを併せ持つキャップであって、
前記内キャップは、
中心軸を中心とする円板形状の内天板部と、
前記内天板部の周縁から下方に延びた円筒形状の内側壁と、
前記内側壁の径方向内側表面に形成され、前記容器の雄ねじに着脱可能に嵌め合わされる雌ねじと、
前記内天板部上に形成された内噛合部と、
内係合部と、を備え、
前記外キャップは、前記中心軸の周囲に開口部を有する本体と、前記開口部に軸方向から嵌め込まれるように配置された中央ボタンと、を備え、
前記外キャップの前記本体は、
前記開口部の周囲に配置された、前記中心軸を中心とする中空の外天板部と、
前記外天板部の前記開口部の周縁から径方向内向きに突出した内向き突出部であって、前記内向き突出部の締め方向の縁から下方に延びた垂直壁と、前記内向き突出部の裏面に、締め方向から緩め方向に進むに連れて前記内向き突出部の軸方向の厚さが漸次減少する傾斜面と、を有する前記内向き突出部と、
前記外天板部の周縁から下方に延びた外側壁と、を更に備え、
前記外キャップの前記中央ボタンは、
径方向外向きに突出した外向き突出部と、
前記外向き突出部の表面の締め方向の縁に形成され、緩め方向から締め方向に向けて下る斜面を有するスロープと、
前記中央ボタンの裏面から下方に突出し、前記外キャップと前記内キャップとが一体的に中心軸を中心に回転するように前記内噛合部と噛み合う外噛合部と、
前記中央ボタンの裏面に形成され、前記内係合部と係合し、前記内キャップに対する前記中央ボタンの相対的な上方移動を制限する外係合部と、を備え、
容器が前記キャップによって閉栓された後に一度も開栓されたことがない第１状態において、
前記外キャップの前記中央ボタンは、連結部を介して、前記本体によって支持され、
前記外キャップの前記本体に締め方向の力を加えた場合、前記本体の前記内向き突出部の前記垂直壁が、前記中央ボタンの前記外向き突出部を締め方向に押し、これにより、締め方向の力が前記内キャップに伝わり、前記連結部を破断することなく前記内キャップを前記容器に対して相対的に締め方向に回転させて閉栓可能であり、
前記外キャップの前記本体に、緩め方向または軸方向上向きの力を加えた場合、前記本体の前記内向き突出部が、前記中央ボタンの前記外向き突出部に対して相対的に緩め方向または上方に移動し、それによって、前記連結部が破断され、前記外キャップの前記本体から前記中央ボタンが分離して下方に変位するとともに、前記キャップは、前記外キャップのみが緩め方向に回転する第２状態に移行し、
前記第２状態において、
前記外キャップの前記本体に緩め方向の力を加えた場合、前記本体の前記内向き突出部の前記傾斜面は、前記中央ボタンの前記外向き突出部の前記スロープに接触し、その後、前記スロープを上り、前記中央ボタンの前記外向き突出部の上に乗り、これにより、前記容器に対して前記内キャップを相対的に緩め方向に回転させることができず、
前記外キャップの前記本体に、子供が容易に加えることができない程度の一定の大きさの下向きの力を加えつつ、緩め方向の力を加えた場合、前記本体の前記内向き突出部の前記傾斜面と、これに接触した前記中央ボタンの前記外向き突出部の前記スロープと、前記外噛合部と、これに噛み合った前記内噛合部とを介して、緩め方向の力が前記内キャップに伝わり、前記内キャップを前記容器に対して相対的に緩め方向に回転させて開栓することを特徴とするキャップ。
【請求項６】
中央に開口部を有する外天板部と、前記外天板部に連結部で接続された中央ボタンと、前記外天板部の周縁から下方に延びた外側壁と、を備えた外キャップと、
内天板部と、前記内天板部の周縁から下方に延びた内側壁とを備え、容器に着脱可能に装着される内キャップと、を含み、
前記内キャップを前記外キャップ内に嵌め合わせたキャップであって、
前記容器が閉栓された後に一度も開栓されたことがない第１状態において、前記外キャップに対して前記中央ボタンを押し下げた場合に、前記連結部が破断し、前記外キャップから前記中央ボタンが分離し、前記外キャップのみが緩め方向に回転する第２状態となることを特徴とするキャップ。
【請求項７】
前記内キャップは、
中心軸を中心とする円板形状の前記内天板部と、
前記内天板部の周縁から下方に延びた円筒形状の前記内側壁と、
前記内側壁の径方向内側表面に形成され、前記容器の雄ねじに着脱可能に嵌め合わされる雌ねじと、
前記内側壁の径方向外側表面上に形成された１つ以上の内閉栓用突起と、
前記内天板部の上に形成された内噛合部と、を備え、
前記外キャップは、
前記開口部の周囲に配置され、前記中心軸を中心とする前記外天板部と、
前記開口部内に配置され、前記外天板部に連結部で接続された中央ボタンと、
前記外天板部の周縁から下方に延びた前記外側壁と、
前記外側壁の径方向内側表面上に形成された１つ以上の外閉栓用突起と、を備え、
さらに、前記外天板部は、前記開口部の周縁から径方向内向きに突出した内向き突出部であって、前記内向き突出部の裏面に、締め方向から緩め方向に進むに連れて前記内向き突出部の軸方向の厚さが漸次減少する傾斜面を有する前記内向き突出部と、を備え、
前記中央ボタンは、
径方向外向きに突出した外向き突出部と、
前記外向き突出部の表面の締め方向の縁に形成され、緩め方向から締め方向に向けて下る斜面を有するスロープと、を備え、
前記第１状態において、
前記中央ボタンは、前記連結部を介して前記外天板部によって支持され、
前記外キャップに締め方向の力を加えた場合、前記外閉栓用突起が、前記内閉栓用突起に係合してこれを締め方向に押し、これにより、前記連結部を破断することなく前記内キャップを前記容器に対して相対的に締め方向に回転させて閉栓可能であり、
前記外キャップに緩め方向の力を加えた場合、前記外閉栓用突起は、前記内閉栓用突起に係合せず、前記内キャップに対して前記外キャップが空回りして開栓不可能であり、
前記外キャップの前記中央ボタンに下向きの力を加えた場合、前記連結部が破断し、前記外天板部から前記中央ボタンが分離して下方に変位するとともに、前記キャップは、前記第２状態に移行することを特徴とする請求項６に記載のキャップ。
【請求項８】
前記第２状態において、
前記外キャップに緩め方向の力を加えた場合、前記内向き突出部の前記傾斜面は、前記中央ボタンの前記外向き突出部の前記スロープに接触し、その後、前記スロープの上を滑り、前記中央ボタンの前記外向き突出部の上に乗り、これにより、前記容器に対して前記内キャップを相対的に緩め方向に回転させることができず、
前記外キャップに、下向きの力を加えつつ緩め方向の力を加えた場合、前記内向き突出部の前記傾斜面は、これに接触した前記中央ボタンの前記外向き突出部の前記スロープを押し、これにより、緩め方向の力が前記内キャップに伝わり、前記内キャップを前記容器に対して相対的に緩め方向に回転させて開栓することができることを特徴とする請求項７に記載のキャップ。
【請求項９】
前記外閉栓用突起の締め方向側面は、前記外側壁の径方向内側表面に対して垂直または鋭角をなし、
前記外閉栓用突起の緩め方向側面は、前記外側壁の径方向内側表面に対して垂直または鈍角をなしていることを特徴とする請求項７または８に記載のキャップ。
【請求項１０】
前記内閉栓用突起の数は、複数であり、各内閉栓用突起は、周方向に互いに間隔を空けて配置され、
前記外閉栓用突起の数は、複数であり、各外閉栓用突起は、周方向に互いに間隔を空けて配置されていることを特徴とする請求項７〜９のいずれかに記載のキャップ。
【請求項１１】
前記中央ボタンは、
前記中央ボタンの裏面から下方に突出した外噛合部であって、前記第１状態においては、前記内噛合部と噛み合わず、前記第２状態においては、前記内噛合部と噛み合って、前記外キャップと前記内キャップとが一体的に中心軸を中心に回転する外噛合部と、
前記中央ボタンの裏面に形成され、前記内キャップに設けられた内係合部に当たって、前記内キャップに対する前記中央ボタンの相対的な上方移動を制限する外係合部と、を更に備えることを特徴とする請求項７〜１０のいずれかに記載のキャップ。
【請求項１２】
容器の口部に着脱可能に装着される内キャップと、前記内キャップを覆い、かつ、前記内キャップに対して相対的に回転可能に嵌め合わされた外キャップと、を備え、タンパーエビデント機能とチャイルドレジスタンス機能とを併せ持つキャップであって、
前記内キャップは、
中心軸を中心とする円板形状の内天板部と、
前記内天板部の周縁から下方に延びた円筒形状の内側壁と、
前記内側壁の径方向内側表面に形成され、前記容器の雄ねじに着脱可能に嵌め合わされる雌ねじと、
前記内側壁の径方向外側表面上に形成された１つ以上の内閉栓用突起と、
前記内天板部上に形成された内噛合部と、
内係合部と、を備え、
前記外キャップは、前記中心軸の周囲に開口部を有する本体と、前記開口部に軸方向から嵌め込まれるように配置された中央ボタンと、を備え、
前記外キャップの前記本体は、
前記開口部の周囲に配置された、前記中心軸を中心とする中空の外天板部と、
前記外天板部の前記開口部の周縁から径方向内向きに突出した内向き突出部であって、前記内向き突出部の裏面に、締め方向から緩め方向に進むに連れて前記内向き突出部の軸方向の厚さが漸次減少する傾斜面を有する前記内向き突出部と、
前記外天板部の周縁から下方に延びた外側壁と、
前記外側壁の径方向内側表面上に形成された１つ以上の外閉栓用突起と、を更に備え、
前記外キャップの前記中央ボタンは、
径方向外向きに突出した外向き突出部と、
前記外向き突出部の表面の締め方向の縁に形成され、緩め方向から締め方向に向けて下る斜面を有するスロープと、
前記中央ボタンの裏面から下方に突出した外噛合部であって、容器が前記キャップによって閉栓された後に一度も開栓されたことがない第１状態においては、前記内噛合部と噛み合わず、前記外キャップのみが緩め方向に回転する第２状態においては、前記外キャップと前記内キャップとが一体的に中心軸を中心に回転するように前記内噛合部と噛み合う、外噛合部と、
前記中央ボタンの裏面に形成され、前記内係合部と係合し、前記内キャップに対する前記中央ボタンの相対的な上方移動を制限する外係合部と、を備え、
前記第１状態において、
前記外キャップの前記中央ボタンは、連結部を介して、前記本体によって支持され、
前記外キャップの前記本体に締め方向の力を加えた場合、前記外閉栓用突起が、前記内閉栓用突起に係合してこれを締め方向に押し、これにより、前記連結部を破断することなく前記内キャップを前記容器に対して相対的に締め方向に回転させて閉栓可能であり、
前記外キャップの前記本体に緩め方向の力を加えた場合、前記外閉栓用突起は、前記内閉栓用突起に係合しないためこれを緩め方向に押さず、前記内キャップに対して前記外キャップが空回りして開栓不可能であり、
前記外キャップの前記中央ボタンに軸方向下向きの力を加えた場合、前記連結部が破断され、前記外キャップの前記本体から前記中央ボタンが分離して下方に変位するとともに、前記キャップは、前記第２状態に移行し、
前記外キャップの前記本体に軸方向上向きの力を加えた場合、前記本体の前記内向き突出部が、前記中央ボタンの前記外向き突出部に対して相対的に緩め方向または軸方向上向きに移動し、それによって、前記連結部が破断され、前記外キャップの前記本体から前記中央ボタンが分離して下方に変位するとともに、前記キャップは、前記第２状態に移行し、
前記第２状態において、
前記外キャップの前記本体に緩め方向の力を加えた場合、前記本体の前記内向き突出部の前記傾斜面は、前記中央ボタンの前記外向き突出部の前記スロープに接触し、その後、前記スロープを上り、前記中央ボタンの前記外向き突出部の上に乗り、これにより、前記容器に対して前記内キャップを相対的に緩め方向に回転させることができず、
前記外キャップの前記本体に、子供が容易に加えることができない程度の一定の大きさの下向きの力を加えつつ、緩め方向の力を加えた場合、前記本体の前記内向き突出部の前記傾斜面と、これに接触した前記中央ボタンの前記外向き突出部の前記スロープと、前記外噛合部と、これに噛み合った前記内噛合部とを介して、緩め方向の力が前記内キャップに伝わり、前記内キャップを前記容器に対して相対的に緩め方向に回転させて開栓することを特徴とするキャップ。
【請求項１３】
前記内キャップの前記内天板部上に形成され、前記内天板部から上方に延びた、中心軸を中心とする円筒形状の内円筒壁と、前記外キャップの前記中央ボタンの裏面上に形成され、前記外噛合部の径方向周囲から下方に延びた、中心軸を中心とする円筒形状の外円筒壁と、を更に備え、
前記内キャップは、前記内キャップの前記内円筒壁の径方向外側表面の上端部に形成され、径方向外向きに突出した内係合部を備え、
前記外キャップは、前記外キャップの前記外円筒壁の径方向内側表面の下端部に形成され、径方向内向きに突出した外係合部を備え、
前記第１状態および前記第２状態において、前記内キャップの前記内円筒壁は、前記外キャップの前記外噛合部と、前記外キャップの前記外円筒壁と、の周方向の間に配置されることを特徴とする請求項４、５、１１または１２のいずれかに記載のキャップ。
【請求項１４】
前記外噛合部は、周方向外向きに延びた複数の歯を有する平歯車状の形状を有し、
前記内噛合部は、前記内キャップから周方向内向きに延びた複数の歯を有する内歯車状の形状を有することを特徴とする請求項４、５または１１〜１３のいずれかに記載のキャップ。
【請求項１５】
前記内天板部の表面上および／または前記外天板部の裏面上に、前記外キャップの中に前記内キャップを嵌め込む組立時に、前記内キャップの一部が、前記外キャップの前記中央ボタンに接触することを防止するように配置された組立用ストッパを更に備えることを特徴とする請求項１〜１４のいずれかに記載のキャップ。
【請求項１６】
前記内側壁の外側表面から径方向外向きに突出した外周リブと、
前記外側壁の内側表面から径方向内向きに突出した内周リブと、を更に備え、
前記内キャップが前記外キャップに対して相対的に下方に移動した場合、前記外周リブと前記内周リブとが接触し、前記内キャップが前記外キャップから滑り出て前記内キャップと前記外キャップとが分離するのを防止することを特徴とする請求項１〜１５のいずれかに記載のキャップ。
【請求項１７】
前記中央ボタンの表面は、凹部および／または凸部を有することを特徴とする請求項１〜１６のいずれかに記載のキャップ。
【請求項１８】
前記外キャップは、前記キャップが前記容器に装着された場合に、前記容器の周囲に設けられた支持部に接触する被支持部を更に備え、前記外キャップに加えられた周方向内向きおよび下向きの力が、前記内キャップに伝わらないようにしたことを特徴とする請求項１〜１７のいずれかに記載のキャップ。
【請求項１９】
請求項１〜１８のいずれかに記載されたキャップと、前記キャップが口部に着脱可能に装着された容器と、を含むキャップ付き容器。
【請求項２０】
前記容器は、その周囲に設けられた支持部を備え、
前記外キャップの前記外側壁は、前記キャップが前記容器に装着された場合に、前記容器の前記支持部に接触し、前記外キャップに加えられた周方向内向きおよび下向きの力が、前記内キャップに伝わらないようにしたことを特徴とする請求項１９に記載のキャップ付き容器。
【発明の詳細な説明】
【技術分野】
【０００１】
本発明は、容器のキャップおよびキャップ付き容器に関し、特に、タンパーエビデント機能とチャイルドレジスタンス機能とを併せ持つキャップおよびキャップ付き容器に関する。
【背景技術】
【０００２】
容器に封をするキャップにおいて、容器の内容物を入れ替える改ざん行為などの不正行為を防止するためのタンパーエビデント機能を有するキャップが知られている。例えば、特許文献１は、閉鎖体（キャップ）が容器から取り外されたときにバンドが閉鎖体と一体に取り外される閉鎖体を開示している。
【０００３】
また、容器、特に医薬品容器に封をするキャップにおいて、子供が簡単にキャップを取り外して容器を開栓し、容器の内容物を誤って摂取することを防ぐチャイルドレジスタンス機能を有するキャップが知られている。例えば、特許文献２は、内蓋に対して外蓋を押しながら回さない限り開栓できない安全蓋を開示している。
【先行技術文献】
【特許文献】
【０００４】
【特許文献１】特開昭５５−１５４２５６号公報
【特許文献２】特公平８−５８８号公報
【発明の概要】
【発明が解決しようとする課題】
【０００５】
しかし、特許文献１に開示された閉鎖体（キャップ）のタンパーエビデント機能は、一旦容器から取り外されたバンドを、接着剤または溶接などの手段によって、元の場所に再度取り付けることにより容易に失われる。
【０００６】
また、特許文献２に開示された安全蓋は、チャイルドレジスタンス機能を有するものの、タンパーエビデント機能を有さない。特許文献２に開示された安全蓋に特許文献１のバンドのようなタンパーエビデント機能を持たせることが考えられるが、特許文献１のバンドのようなタンパーエビデント機能には上記のような問題があり、さらに、特許文献２に開示された安全蓋にタンパーエビデント機能をも与えると、部品の数が増加して製造コストが増加する問題がある。
【０００７】
そこで、本発明は、タンパーエビデント機能とチャイルドレジスタンス機能とを併せ持ち、２部品のみからなるキャップを得ることを目的とする。
【課題を解決するための手段】
【０００８】
本発明の一態様は、中央に開口部を有する外天板部と、外天板部に連結部で接続された中央ボタンと、外天板部の周縁から下方に延びた外側壁とを備えた外キャップと、内天板部と、内天板部の周縁から下方に延びた内側壁とを備え、容器に着脱可能に装着される内キャップと、を含み、内天板部に中央ボタンが周方向に固定されるように、内キャップを外キャップ内に嵌め合わせたキャップを提供する。このキャップは、容器が閉栓された後に一度も開栓されたことがない第１状態において、外キャップを緩め方向に回転させた場合または上方に移動させた場合に、連結部が破断されて外天板部から中央ボタンが分離して、外キャップのみが緩め方向に回転する第２状態となることを特徴とする。
【０００９】
本発明の他の態様は、中央に開口部を有する外天板部と、外天板部に連結部で接続された中央ボタンと、外天板部の周縁から下方に延びた外側壁とを備えた外キャップと、内天板部と、内天板部の周縁から下方に延びた内側壁とを備え、容器に着脱可能に装着される内キャップと、を含み、内キャップを外キャップ内に嵌め合わせたキャップを提供する。このキャップは、容器が閉栓された後に一度も開栓されたことがない第１状態において、外キャップに対して中央ボタンを押し下げた場合に、連結部が破断し、外キャップから中央ボタンが分離し、外キャップのみが緩め方向に回転する第２状態となることを特徴とする。
【発明の効果】
【００１０】
本発明により、タンパーエビデント機能とチャイルドレジスタンス機能とを併せ持ち、２部品のみからなるキャップを得ることができる。
【図面の簡単な説明】
【００１１】
【図１】本発明の第１実施形態に係るキャップを示す斜視図である。
【図２】本発明の第１実施形態に係るキャップの分解斜視図である。
【図３】本発明の第１実施形態に係るキャップの内キャップの平面図である。
【図４】本発明の第１実施形態に係るキャップの内キャップの正面図である。
【図５】図３の内キャップをＶ−Ｖ方向に見た断面図である。
【図６】図３の内キャップをＶＩ−ＶＩ方向に見た断面図である。
【図７】本発明の第１実施形態に係る外キャップの平面図および部分拡大図である。
【図８】図７の外キャップをＶＩＩＩ−ＶＩＩＩ方向に見た断面図である。
【図９】図７の外キャップをＩＸ−ＩＸ方向に見た断面図である。
【図１０】本発明の第１実施形態に係る外キャップを図８のＸ−Ｘ方向に見た断面図である。
【図１１】本発明の第１実施形態に係る外キャップの底面図である。
【図１２】本発明の第１実施形態の初期状態におけるキャップと容器の一部とを示す斜視図である。
【図１３】図１２のキャップを上から見た平面図である。
【図１４】本発明の第１実施形態に係るキャップと容器の一部とを図１３のＸＩＶ−ＸＩＶ方向に見た断面図である。
【図１５】図１４のキャップをＸＶ−ＸＶ方向に見た断面図である。
【図１６】図１３のキャップの外キャップのＸＶＩ−ＸＶＩ線断面図である。
【図１７】本発明の第１実施形態のＣＲ状態におけるキャップと容器の一部とを示す斜視図である。
【図１８】図１７のキャップを上から見た平面図である。
【図１９】本発明の第１実施形態に係るキャップと容器の一部とを図１８のＸＩＸ−ＸＩＸ方向に見た断面図である。
【図２０】図１８のキャップの外キャップのＸＸ−ＸＸ線断面図である。
【図２１】本発明の第１実施形態のＣＲ２状態における外キャップを図２０と同一の方向に見た断面を示す断面図である。
【図２２】本発明の第１実施形態のＣＲ３状態における外キャップを図２０と同一の方向に見た断面を示す断面図である。
【図２３】本発明の第１実施形態のＣＲ３状態における外キャップを図２０と同一の方向に見た断面を示す断面図である。
【図２４】本発明の第１実施形態のＣＲ３状態からＣＲ１状態への移行途中の外キャップを図２０と同一の方向に見た断面を示す断面図である。
【図２５】本発明の第１実施形態の変形例に係るキャップと、キャップによって閉栓された容器の一部とを示す断面図である。
【図２６】本発明の第２実施形態に係るキャップと、キャップによって閉栓された容器の一部とを示す断面図である。
【図２７】図２６のキャップをＸＸＶＩＩ−ＸＸＶＩＩ方向に見た断面図である。
【図２８】図２６のキャップをＸＸＶＩＩＩ−ＸＸＶＩＩＩ方向に見た断面図である。
【発明を実施するための形態】
【００１２】
本発明の実施形態に係るキャップについて、図を参照しながら以下に説明する。各図において、同一または相当箇所には同じ符号を付している。
【００１３】
＜第１実施形態＞
図１は、全体が１００で表される、本発明の第１実施形態に係るキャップが、容器１に装着された状態を示す斜視図である。図１には、説明の便宜のため、中心軸Ｃを示している。キャップ１００は、ねじ式のものであり、容器１に対して中心軸Ｃを中心として相対的に回転することにより容器１を封止する。
【００１４】
本明細書では、中心軸Ｃに平行な方向を軸方向と、軸方向に垂直な方向を径方向と、中心軸を中心とする円周方向を周方向と呼ぶ。軸方向について、紙面に向かって上向きの方向を正とする。軸方向の正方向を上方向、軸方向の負方向を下方向とも呼ぶ。周方向については、容器１に対してキャップ１００を回転させた場合にねじが進んでキャップ１００が締まる（閉じる）相対的な方向を「締め方向」と、締め方向と反対向きであってねじが後退してキャップ１００が緩む（開く）相対的な方向を「緩め方向」と呼ぶ。本明細書および添付の図面では、容器１に対して相対的に時計回り（右回り）に回した場合に締まる右ねじ式のキャップ１００が示されている。
【００１５】
図２は、本発明の第１実施形態に係るキャップ１００の分解斜視図である。キャップ１００は、内キャップ２と外キャップ３とを備える。内キャップ２は、外キャップ３の中に周方向に回転可能に嵌め込まれている。
【００１６】
まず、図２に示す内キャップ２について、図３〜６を参照しながら説明する。図３は、内キャップ２の平面図である。図４は、内キャップ２の正面図である。図５は、図３の内キャップ２をＶ−Ｖ方向に見た断面図である。図６は、図３の内キャップ２をＶＩ−ＶＩ方向に見た断面図である。
【００１７】
図２に示すように、内キャップ２は、中心軸Ｃ（図１参照）を中心とする円板形状の内天板部２０１と、内天板部２０１の周縁から下方に延びた円筒形状の内側壁２０２とを備える。内側壁２０２は、径方向内側表面と径方向外側表面とを備え、径方向内側表面には、容器１の口部の雄ねじ（図示せず）に嵌め合わされる雌ねじ２０３が形成されている（図５および図６参照）。内側壁２０２の外側表面には、径方向外向きに突出し、周方向に延びる外周リブ２０４が形成されている。外周リブ２０４は、内キャップ２が外キャップ３に対して相対的に下方に移動した場合に、外キャップ３の内周リブ３１０（図８および図９参照）に接触し、内キャップ２の下方への移動を制限する。これにより、外キャップ３から内キャップ２が下方に滑り出て分離することを防ぐ。
【００１８】
なお、本明細書において、「内天板部」のように、要素名の前に付けた「内」は、その要素が「内キャップ」の要素であることを意味する。同様に、「外天板部」のように、要素名の前に付けた「外」は、その要素が「外キャップ」の要素であることを意味する。
【００１９】
内天板部２０１上には、内天板部２０１から上方に延びた、中心軸Ｃ（図１参照）を中心とする円筒形状の内円筒壁２０５が形成されている。内円筒壁２０５は、径方向内側表面と径方向外側表面とを備え、径方向外側表面の上端部には、径方向外向きに突出した内係合部２０６が形成されている。内係合部２０６は、後述の外キャップ３の中央ボタン３５０が内キャップ２に対して相対的に上方に移動した場合に、中央ボタン３５０の外係合部３５６に接触し、中央ボタン３５０の上方への移動を制限する。これにより、後述のように、中央ボタン３５０を落下させずに容器１の内容物を入れ替える改ざん行為を防止することができる。
【００２０】
内キャップ２の内円筒壁２０５には、外キャップ３の外噛合部３５３と噛み合う内噛合部２０７が形成されている。内噛合部２０７は、内キャップ２の内円筒壁２０５の径方向内側表面から径方向内向きに延びた複数の内歯２０８を含む。内噛合部２０７の更に詳細な構造については、後述する。
【００２１】
内キャップ２は、内天板部２０１の周縁から上方に延びた壁状の内組立用ストッパ２０９を更に備える。後述のように、内組立用ストッパ２０９は、外キャップ３の外組立用ストッパ３０７と協働して、外キャップ３に対して内キャップ２を嵌め込んで組み立てる際に外キャップ３の連結部３２０（図７参照）が破断されることを防止する機能を有する。
【００２２】
次に、図２に示す外キャップ３について、図７〜１１を参照しながら説明する。図７は、外キャップ３の平面図および部分拡大図である。図８は、図７の外キャップ３をＶＩＩＩ−ＶＩＩＩ方向に見た断面図である。図９は、図７の外キャップ３をＩＸ−ＩＸ方向に見た断面図である。図１０は、外キャップ３を図８のＸ−Ｘ方向に見た断面図である。図１１は、外キャップ３の底面図である。
【００２３】
外キャップ３は、本体３０１を備える。外キャップ３の本体３０１は、中心軸Ｃ（図１参照）を中心とする円板形状の外天板部３０２と、外天板部３０２の周縁から下方に延びた円筒形状の外側壁３０３とを有する。図７では、外天板部３０２の形状は、円板形状であるが、これに限定されず、多角形であってもよい。したがって、外側壁３０３を軸方向から見た形状も多角形であってよい。ただし、外キャップ３が内キャップ２に対して相対的に回転可能に嵌め合わされる必要があるため、外側壁３０３の径方向内側表面を軸方向から見た形状は、図２に示すように、実質的に円形である。外天板部３０２の中央には、開口部３３０（図１０参照）が設けられている。外天板部３０２は、周方向に互いに間隔を空けて配置され、径方向内向きに突出した６個の内向き突出部３０４を備える。内向き突出部３０４の数は、６個に限定されず、１つ以上、好ましくは２つ以上であればよい。
【００２４】
外キャップ３は、上から見た形状が開口部３３０と実質的に同一であり、開口部３３０に軸方向から嵌め込まれるように配置された中央ボタン３５０を更に備える。外キャップ３の本体３０１と中央ボタン３５０とは、１つ以上の連結部３２０によって互いに連結されている。後述のように、キャップ１００を容器１に対して相対的に回転させて容器１を開栓しようとすると、連結部３２０は破断され、中央ボタン３５０は、本体３０１から分離して、下方向に移動可能となる。さらに、中央ボタン３５０は、緩め方向に動く後述の本体３０１の傾斜面３０５（図２参照）によって下方向に押されて、下方向に変位する（落下する）。中央ボタン３５０が落下していることは、容器１が少なくとも１度は開栓されたことを意味する。そして、中央ボタン３５０が落下していることは、外観上明白にわかるため、容器１を取り扱う者（例えば、容器１中の薬の服用者、医師、薬剤師、薬の管理人、販売者および流通業者など）は、容器１を一見するだけで、容器１が開栓されたことがあるか否かを知ることができる。このように、中央ボタン３５０は、タンパーエビデント機能を有する。
【００２５】
外キャップ３の中央ボタン３５０は、吸盤などを用いて持ち上げられないように、表面に凹凸（図示せず）を有することが好ましい。さらに、外キャップ３の中央ボタン３５０の表面の材質は、粘着テープなどの粘着性手段を用いて持ち上げられないように、粘着テープなどの接着剤が接着しない材質であることが好ましい。さらに、上記の吸盤および粘着テープなどの手段によって持ち上げられないように、外キャップ３の中央ボタン３５０は、落下後、落下した状態のまま内キャップ２に固定されることが好ましい。外キャップ３の本体３０１、中央ボタン３５０および連結部３２０は、例えば射出成形によって、一体的に形成されてもよい。
【００２６】
外キャップ３の中央ボタン３５０は、径方向外向きに突出した外向き突出部３５１を有する。外向き突出部３５１の数は、図では６個であるが、これに限定されず、１つ以上であればよい。外向き突出部３５１の形状は、後述の開栓動作および閉栓動作の際に、外キャップ３の本体３０１に対して相対的に中央ボタン３５０が周方向に変位しない形状であればよい。
【００２７】
図７に示すように、各外向き突出部３５１の側面には、表面から下方に向かって広がるようにスロープ３５２が設けられている。スロープ３５２と、後述の傾斜面３０５（図２参照）とは、平行であることが好ましい。なお、スロープ３５２は、各外向き突出部３５１の側面全体に設けられる必要はなく、少なくとも締め方向の側面に設けられればよい。
【００２８】
図２に示すように、外キャップ３の中央ボタン３５０の裏面には、下方に突出した外噛合部３５３が形成されている。外キャップ３の中央ボタン３５０の外噛合部３５３は、内キャップ２の内噛合部２０７と噛み合う。これにより、外キャップ３の中央ボタン３５０は、内キャップ２に対して相対的に周方向に動くことができず、外キャップ３の中央ボタン３５０に加えられた周方向の回転力は、内キャップ２に伝わる。すなわち、外キャップ３と内キャップ２とは一体的に回転する。
【００２９】
本明細書では、特に図２および図１１に示されているように、外キャップ３の中央ボタン３５０の外噛合部３５３は、周方向外向きに延びた１０本の外歯３５４を有する平歯車状の形状を有し、内キャップ２の内噛合部２０７は、周方向内向きに延びた１０本の内歯２０８を有する内歯車状の形状を有する。しかしながら、中央ボタン３５０の外噛合部３５３および内キャップ２の内噛合部２０７の形状は、これに限定されるものではなく、中央ボタン３５０に加えられた周方向の回転力が内キャップ２に伝わるものであればいかなる形状であってもよい。
【００３０】
図２に示すように、外歯３５４の底面（軸方向下側表面）と内歯２０８の頂面は、切妻屋根状または寄せ棟屋根状の形状（すなわち、径方向の結線と、その両側に延びた斜面とを有する形状）、または片流れ屋根状の形状を有することが好ましい。このような形状により、外キャップ３と内キャップ２とを組み立てた際に、内キャップ２の内歯２０８の上に外キャップ３の外歯３５４が乗ることを防止することができる。したがって、外キャップ３の中央ボタン３５０の外噛合部３５３が内キャップ２の内噛合部２０７と確実に噛み合うことができる。
【００３１】
さらに、図２に示すように、外キャップ３の中央ボタン３５０の裏面には、外噛合部３５３の周囲から下方に延びた外円筒壁３５５が形成されている。外円筒壁３５５の径方向内側表面の下端部には、径方向内向きに突出した外係合部３５６が形成されている。外係合部３５６は、外キャップ３の中央ボタン３５０が内キャップ２に対して相対的に上方に一定の距離以上移動した場合に、内キャップ２の内係合部２０６に接触し、中央ボタン３５０の上方への移動を制限する。これにより、後述のように、中央ボタン３５０を落下させずに容器１の内容物を入れ替える改ざん行為を防止することができる。
【００３２】
図２に示すように、外キャップ３の本体３０１の外天板部３０２の各内向き突出部３０４の裏面には、緩め方向に向かって内向き突出部３０４の厚さが漸次減少するような傾斜面３０５が設けられている（図１６も参照）。傾斜面３０５と前述のスロープ３５２の斜面とは、平行であることが好ましい。各内向き突出部３０４の締め方向の縁には、そこから下方に延びた垂直壁３０６が設けられている。
【００３３】
図２、図８、図９および図１１に示すように、外キャップ３の本体３０１の外天板部３０２の裏面には、外天板部３０２の裏面から下方に突出した外組立用ストッパ３０７が形成されてもよい。外組立用ストッパ３０７は、外キャップ３の本体３０１の外天板部３０２の裏面にだけでなく、外側壁３０３の内側表面にも接触するものであってもよい。図１１には、１０個の外組立用ストッパ３０７が示されている。１０個の外組立用ストッパ３０７は、周方向に互いに間隔を空けて等間隔に配置されている。
【００３４】
内キャップ２と外キャップ３を組み立てた場合に、外キャップ３の外組立用ストッパ３０７の下端は、内キャップ２の内組立用ストッパ２０９の上端によって支持される（後述の図１４参照）。これにより、外キャップ３の中に内キャップ２を嵌め込む組立時に、内キャップ２の一部が外キャップ３の中央ボタン３５０に接触してこれを軸方向上向きに押すことを防止する。したがって、組立時に意図せず連結部３２０を破断することを防止することができる。
【００３５】
図２に示すように、外キャップ３の本体３０１の外側壁３０３の径方向内側表面には、そこから径方向内向きに突出し、軸方向に延びた軸方向リブ３０８が形成されてもよい。軸方向リブ３０８は、外組立用ストッパ３０７と一体的に形成されてもよい。言い換えれば、軸方向リブ３０８と外組立用ストッパ３０７とは、互いに一部を共有するものであってもよい。図１１には、外組立用ストッパ３０７と一体的に形成された１０個の軸方向リブ３０８が示されている。軸方向リブ３０８は、軸方向リブ３０８の径方向内側表面と中心軸Ｃとの距離が下方に進むに連れて大きくなるように、傾斜面３０９を有してもよい。傾斜面３０９があることにより、外キャップ３に対して内キャップ２を嵌め込んで組み立てる際に、外キャップ３に対して内キャップ２を滑らかに嵌め込むことができる。軸方向リブ３０８の径方向内側表面と中心軸Ｃとの距離は、内キャップ２の内天板部２０１の径方向外側表面と中心軸Ｃとの距離（すなわち、内天板部２０１の半径）に実質的に等しい。これにより、軸方向リブ３０８は、組立時および組立後に、外キャップ３に対して内キャップ２が相対的に傾くことを防止する機能を有する。
【００３６】
外キャップ３の本体３０１の外側壁３０３の下端付近には、外側壁３０３の径方向内側表面から径方向内向きに突出した内周リブ３１０が形成されている。内周リブ３１０は、内キャップ２が外キャップ３に対して相対的に下方に移動した場合に、内キャップ２の外周リブ２０４に接触し、外キャップ３から内キャップ２が下方に滑り出て分離することを防ぐ機能を有する。
【００３７】
図２、図８および図９に示すように、外側壁３０３の外周リブ２０４の更に下方には、容器１の一部（例えば容器１の支持部１０（図１４参照））に接触し、容器１によって支持される被支持部３１１が形成されてもよい。外キャップ３の本体３０１の外側壁３０３は、被支持部３１１を介して容器１によって支持されることにより、容器１および内キャップ２に対して、周方向内向きおよび軸方向下向きに相対的に移動しない。したがって、外キャップ３の本体３０１に加えられた周方向内向きおよび軸方向下向きの力は、内キャップ２に伝わらない。図２、図８および図９では、被支持部３１１は切欠き状の形状であり、容器１の支持部１０（図１４参照）は周方向外向きに突出した外周リブ形状であるが、本発明はこれに限定されない。
【００３８】
次に、本発明の第１実施形態に係るキャップ１００の動作について説明する。
【００３９】
ａ．初期状態
内キャップ２と外キャップ３は、それぞれ、例えば射出成形によって、一体的に形成される。その後、外キャップ３の下方から内キャップ２を嵌め込み、両者を組み合わせてキャップ１００を製造する。その後、容器１に医薬品などの内容物を入れ、容器１に対して相対的にキャップ１００を回転させて、容器１をしっかりと閉栓する。本明細書では、この状態、すなわち容器１が閉栓された後に一度も開栓されたことがない状態を、「初期状態」または「第１状態」という。
【００４０】
図１２は、初期状態における本発明の第１実施形態に係るキャップ１００と容器１の一部とを示す斜視図である。図１３は、図１２のキャップ１００を上から見た平面図である。図１３では、キャップ１００の外キャップ３のみが見えている。図１４は、キャップ１００と容器１の一部とを図１３のＸＩＶ−ＸＩＶ方向に見た断面図である。図１４に示すように、容器１の上端の口部は、可撓性のシール蓋４によって密封されてもよい。図１５は、図１４のキャップ１００をＸＶ−ＸＶ方向に見た断面図である。内キャップ２の内歯２０８と外キャップ３の外歯３５４は、噛み合っている。図１６は、図１３のキャップ１００の外キャップ３のＸＶＩ−ＸＶＩ線断面図である。初期状態では、外キャップ３の本体３０１の垂直壁３０６と、中央ボタン３５０の外向き突出部３５１とは、連結部３２０を介して接続されている。
【００４１】
図１５に示すように、外キャップ３の中央ボタン３５０は、外歯３５４を介して内キャップ２の内歯２０８と噛み合っているため、内キャップ２に対して相対的に周方向に回転しない。したがって、図１３および図１６を参照するとわかるように、容器１を開栓するためにキャップ１００の外キャップ３を握って緩め方向に回転させようとすると、外キャップ３の本体３０１の内向き突出部３０４には、中央ボタン３５０の外向き突出部３５１に対して相対的に緩め方向（図１３の左回り方向、図１６の左方向）の力が加えられる。初期状態では、キャップ１００は容器１に締め付けられているため、この力により、容器１が開栓されることはないが、連結部３２０は破断され、外キャップ３の本体３０１から中央ボタン３５０が分離する。
【００４２】
ｂ．ＣＲ状態
図１４に示すように、初期状態では、内キャップ２の内円筒壁２０５の上端と外キャップ３の中央ボタン３５０の底面との間、内キャップ２の内歯２０８の上端と外キャップ３の中央ボタン３５０の裏面との間、外キャップ３の中央ボタン３５０の外円筒壁３５５の下端と内キャップ２の内天板部２０１の表面との間、および、外キャップ３の中央ボタン３５０の外歯３５４の下端と内キャップ２の内天板部２０１の表面との間には、間隙があるため、外キャップ３の本体３０１から中央ボタン３５０が分離した後、中央ボタン３５０は、緩め方向に動く本体３０１の傾斜面３０５によって下方向に押されて、これらの間隙のいずれかがなくなるまで変位する（すなわち、落下する）。中央ボタン３５０が落下した状態のキャップ１００は、子供が簡単にキャップ１００を取り外して容器１を開栓することができないようにするチャイルドレジスタンス（以下、「ＣＲ」という。）機能を有する。本明細書では、中央ボタン３５０が落下した状態を、「チャイルドレジスタンス状態」、「ＣＲ状態」または「第２状態」という。
【００４３】
図１７は、ＣＲ状態におけるキャップ１００と容器１の一部とを示す斜視図である。図１８は、図１７のキャップ１００を上から見た平面図である。図１７および図１８では、外キャップ３は、初期状態に比べて、中心軸Ｃを中心に緩め方向に角度θ（図１８参照）だけ回転している。図１９は、キャップ１００と容器１の一部とを図１８のＸＩＸ−ＸＩＸ方向に見た断面図である。図２０は、図１８のキャップ１００の外キャップ３のＸＸ−ＸＸ線断面図である。図２０には、比較のため、初期状態の図１６における本体３０１の内向き突出部３０４の位置と中央ボタン３５０の外向き突出部３５１の位置とを二点鎖線で示している。図１８のＸＩＸ−ＸＩＸは図１３のＸＩＶ−ＸＩＶ線に一致するものである。図１８のＸＸ−ＸＸ線は、図１３のＸＶＩ−ＸＶＩ線に一致するものである。
【００４４】
図１７に示すように、ＣＲ状態では、キャップ１００を斜め上から見ると、外キャップ３の中央ボタン３５０が落下していることが明白に分かる。したがって、容器１を取り扱う者は、容器１を一見するだけで、容器１が開栓されたことがあるか否かを知ることができる。このように、キャップ１００は、タンパーエビデント機能を有する。
【００４５】
ＣＲ状態のキャップ１００が有するＣＲ機能について、図２０〜２４を参照しながら説明する。
【００４６】
図２０では、本体３０１の内向き突出部３０４の傾斜面３０５と、中央ボタン３５０の外向き突出部３５１のスロープ３５２との間には、周方向の間隙がある。図２０に示されたキャップ１００の状態を「ＣＲ１状態」と呼ぶ。ＣＲ１状態では、この周方向の間隙があるため、外キャップ３の本体３０１に緩め方向に力が加えられても、中央ボタン３５０の外向き突出部３５１を介して内キャップ２には緩め方向の力が伝わらず、本体３０１の内向き突出部３０４が緩め方向に移動するのみである。緩め方向に移動した本体３０１の内向き突出部３０４の傾斜面３０５は、その後、中央ボタン３５０の外向き突出部３５１のスロープ３５２に面接触する。傾斜面３０５がスロープ３５２に面接触した状態を「ＣＲ２状態」と呼ぶ。
【００４７】
図２１は、ＣＲ２状態におけるキャップ１００の外キャップ３を図２０と同一の方向に見た断面を示している。図２１には、比較のため、図２０における本体３０１の内向き突出部３０４の位置を二点鎖線で示している。図２１を図２０と比べると、内向き突出部３０４のみが緩め方向に移動しており、中央ボタン３５０の外向き突出部３５１は図２０と同じ場所に停止したままである。
【００４８】
ＣＲ２状態において、外キャップ３の本体３０１に更に緩め方向に力が加えられると、中央ボタン３５０の外向き突出部３５１と中央ボタン３５０の外歯３５４（図１５参照）とを介して、一定の緩め方向の力が内キャップ２に伝わる。内キャップ２は、容器１にねじ作用によってしっかりと締め付けられているため、容器１に対して内キャップ２を相対的に緩め方向に回転させるためにはある程度強い力が必要である。しかし、この必要な緩め方向の力が内キャップ２に伝わる前に、スロープ３５２の斜面に起因して、本体３０１の内向き突出部３０４は、スロープ３５２を上り、中央ボタン３５０の外向き突出部３５１の上に乗る。内向き突出部３０４が外向き突出部３５１の上に乗った状態を「ＣＲ３状態」と呼ぶ。このように、容器１に対して内キャップ２を相対的に緩め方向に回転させるには至らず、容器１は開栓されない。
【００４９】
図２２は、ＣＲ３状態におけるキャップ１００の外キャップ３を図２０および図２１と同一の方向に見た断面を示している。図２２には、比較のため、図２１における本体３０１の内向き突出部３０４の位置を二点鎖線で示している。
【００５０】
ＣＲ３状態において、外キャップ３の本体３０１に更に緩め方向に力が加えられると、本体３０１の内向き突出部３０４は、中央ボタン３５０の外向き突出部３５１の上に乗ったまま緩め方向に移動し（図２３）、その後、外向き突出部３５１から降り（図２４）、ＣＲ１状態に戻る。以上のように、外キャップ３の本体３０１に十分に強い下向きの力が加えられない限り、緩め方向に力が加えられても、キャップ１００は、ＣＲ１状態、ＣＲ２状態およびＣＲ３状態を順に繰り返して空回りするのみで、容器１は開栓されない。
【００５１】
ｃ．開栓動作
次に、容器１の開栓動作について説明する。
【００５２】
傾斜面３０５がスロープ３５２に面接触したＣＲ２状態において外キャップ３の本体３０１に更に緩め方向に力を加えると、上記の通り内キャップ２が容器１に締め付けられているため、本体３０１の内向き突出部３０４は、スロープ３５２を上ろうとする。この上昇動作を防ぐのに十分な下向きの力を上方から加えつつ、外キャップ３の本体３０１に更に緩め方向に力を加えると、容器１に対して内キャップ２を相対的に緩め方向に回転させるために必要な緩め方向の力が本体３０１に伝わる。したがって、内キャップ２が緩め方向に回転し、容器１を開栓することができる。
【００５３】
以上のような下向きの力を上方から加えつつ外キャップ３を緩め方向に回転させる動作は、子供が容易に行うことができない複雑なものである。したがって、本発明の第１実施形態によるキャップ１００を用いることにより、ＣＲ機能を達成できる。
【００５４】
さらに、開栓に必要な下向きの力は、子供が容易に加えることができない程度の一定の大きさの力であることが好ましい。このように設計することにより、より高いＣＲ機能を達成できる。開栓のために必要な下向きの力は、雌ねじ２０３を締める強さ、傾斜面３０５とスロープ３５２の傾斜角度および材質などによって決定される。開栓のために必要な下向きの力は、子供が簡単にキャップ１００を取り外して容器１を開栓することができないように調整される。
【００５５】
ｄ．閉栓動作
次に、容器１の閉栓動作について説明する。
【００５６】
図１６を参照して前述したように、初期状態では、外キャップ３の本体３０１の垂直壁３０６と、中央ボタン３５０の外向き突出部３５１とは、連結部３２０を介して接続されている。初期状態において外キャップ３の本体３０１に締め方向に力が加えられると、本体３０１の内向き突出部３０４の垂直壁３０６が、中央ボタン３５０の外向き突出部３５１を締め方向（図１６では右方向）に押す（回す）。これにより、中央ボタン３５０の外噛合部３５３を介して、締め方向の力が内キャップ２に伝わる。このように、本発明の第１実施形態では、初期状態のまま、すなわち中央ボタン３５０を落下させることなく、内キャップ２の雌ねじ２０３を締めて容器１を閉栓することができる。
【００５７】
図２０のＣＲ状態でも、同様に、垂直壁３０６によって中央ボタン３５０の外向き突出部３５１を締め方向（図２０では右方向）に押す（回す）ことにより、内キャップ２の雌ねじ２０３を締めて容器１を閉栓することができる。
【００５８】
本発明の第１実施形態によるキャップ１００は、キャップ１００の有するタンパーエビデント機能を機能させずに、すなわち中央ボタン３５０を落下させずに、容器１の内容物を入れ替える改ざん行為を防止することができる。
【００５９】
例えば、改ざん行為として、外キャップ３を強く引っ張り上げて内キャップ２から取り外し、その後内キャップ２を容器１から取り外して容器１の内容物を入れ替える行為が想定される。しかし、図１４に示すように、外キャップ３の中央ボタン３５０が内キャップ２に対して相対的に上方に移動した場合、中央ボタン３５０の外係合部３５６が内キャップ２の内係合部２０６に接触するため、中央ボタン３５０の上方への移動は制限される。中央ボタン３５０の外係合部３５６が内キャップ２の内係合部２０６に接触した状態のまま、更に外キャップ３を引っ張り上げようとすると、外キャップ３の本体３０１と中央ボタン３５０とを接続する連結部３２０が破断し、中央ボタン３５０は落下する。したがって、本発明の第１実施形態によるキャップ１００により、中央ボタン３５０を落下させずに容器１の内容物を入れ替える改ざん行為を防止することができる。
【００６０】
また、改ざん行為として、以下のような行為が想定される。すなわち、まず、外キャップ３に下向きの強い力を加え、または外キャップ３を強く握って周方向内向きの力を加えることによって、外キャップ３を内キャップ２に密着させる。次に、外キャップ３を緩め方向に回転させる。内キャップ２は、外キャップ３に密着しているため、外キャップ３と共に回転する。したがって、連結部３２０が破断し中央ボタン３５０が落下することなく、内キャップ２が容器１から取り外される。このようにして、キャップ１００を容器１から取り外して容器１の内容物を入れ替える行為が想定される。しかし、図１４に示すように、外キャップ３の本体３０１の外側壁３０３は、被支持部３１１を介して容器１の支持部１０によって支持されているため、容器１および内キャップ２に対して、周方向内側および軸方向下向きに相対的に移動しない。したがって、外キャップ３に下向きの強い力を加え、または外キャップ３を強く握って周方向内向きの力を加えても、外キャップ３は内キャップ２に密着せず、かつ、この力は内キャップ２に伝わらない。言い換えれば、外キャップ３に加えられた力は、容器１に逃げる。したがって、中央ボタン３５０を落下させずに内キャップ２を緩め方向に回転させて開栓し、容器１の内容物を入れ替える改ざん行為を行うことはできない。このように、本発明の第１実施形態によるキャップ１００により、中央ボタン３５０を落下させずに容器１の内容物を入れ替える改ざん行為を防止することができる。
【００６１】
さらに、従来のタンパーエビデント容器では、一旦容器から取り外されたタンパーエビデント用のバンド等を、接着剤または溶接などの手段によって、元の場所に再度取り付けて復元する改ざん行為が容易に行われる問題があった。しかし、本発明の第１実施形態によるキャップ１００では、開栓により連結部３２０が破断されて中央ボタン３５０が落下するため、容易にタンパーエビデント機能を復元することができない。さらに、前述のように中央ボタン３５０の表面に凹凸があり、または表面の材質が粘着テープなどの接着剤が接着しない材質である場合は、落下した中央ボタン３５０を持ち上げることはできない。さらに、前述のように、外キャップ３の中央ボタン３５０は、吸盤および粘着テープなどの手段によって持ち上げられないように、落下後、落下した状態のまま内キャップ２に固定されることが好ましい。例えば、中央ボタン３５０は、連結部３２０が破断された後、緩め方向に動く後述の本体３０１の傾斜面３０５によって下方向に押されて（例えば、図２、図１６および図２１参照）、この下向きの力によって内キャップ２（例えば内円筒壁２０５の一部、例えば図１４参照）と噛み合い、落下した状態のまま内キャップ２に固定される。これにより、キャップ１００を上下逆さまにひっくり返しても、中央ボタン３５０は落下した状態のまま動かないため、タンパーエビデント機能を復元することはできない。
【００６２】
以上のように、本発明の第１実施形態によるキャップ１００は、容器１が開栓されたことがあるか否かを一見するだけで知ることができ、かつ、改ざん行為を有効に防止できるタンパーエビデント機能と、ＣＲ機能とを提供する。
【００６３】
さらに、従来技術においては、タンパーエビデント機能を有するキャップおよびＣＲ機能を有するキャップは、いずれも、いずれか一方の機能を有するだけで２部品以上の構成を必要としていた。これに対し、本発明の第１実施形態によるキャップ１００は、２部品構成ではあるものの、この構成のみでタンパーエビデント機能とＣＲ機能の２つの機能を併せ持つことができる。この点で、本発明の第１実施形態によるキャップ１００は、コスト面においても有利である。
【００６４】
次に、本発明の第１実施形態の変形例について説明する。図２５は、全体が１５０で表される本発明の第１実施形態の変形例に係るキャップと、キャップ１５０によって閉栓された容器１の一部とを示す断面図である。図２５は、容器１が閉栓された後に一度も開栓されたことがない初期状態を示している。以下の記載では、原則として、本発明の第１実施形態と異なる点を中心に説明し、その他の部分については重複説明を省略する。
【００６５】
前述の説明では、外キャップ３の被支持部３１１（例えば、図２、図８、図９および図１４参照）は切欠き状の形状であり、容器１の支持部１０（図１４参照）は周方向外向きに突出した外周リブ形状（鍔状の形状）であったが、本発明はこれに限定されない。例えば、図２５に示すように、外キャップ３の被支持部３１５は、外キャップ３の本体３０１の外側壁３０３の下端であり、容器１の支持部１１は、閉栓時にその中に被支持部３１５が嵌まるように容器１の本体の表面（例えば容器１の肩部）に周方向に設けられた溝であってもよい。このような構成であっても、外側壁３０３は、被支持部３１５を介して容器１の支持部１１によって支持され、容器１および内キャップ２に対して、周方向内向きおよび軸方向下向きに相対的に移動しない。したがって、外キャップ３の本体３０１に対して周方向内向きおよび軸方向下向きの力が加えられても、この力は内キャップ２に伝わらない。よって、本発明の第１実施形態の変形例によるキャップ１５０も、中央ボタン３５０を落下させずに内キャップ２を緩め方向に回転させて開栓し、容器１の内容物を入れ替える改ざん行為を防止するという効果を奏する。
【００６６】
＜第２実施形態＞
図２６は、全体が２００で表される本発明の第２実施形態に係るキャップと、キャップ２００によって閉栓された容器１の一部とを示す断面図である。図２６は、容器１が閉栓された後に一度も開栓されたことがない初期状態を示している。以下の記載では、原則として、本発明の第１実施形態と異なる点を中心に説明し、その他の部分については重複説明を省略する。
【００６７】
本発明の第１実施形態では、図１５に示すように、初期状態において、内キャップ２の内歯２０８と外キャップ３の外歯３５４とは噛み合っていたが、本発明の第２実施形態では、図２６に示すように、初期状態において、内キャップ２の内噛合部２０７と外キャップ３の外噛合部３５３は噛み合っていない。したがって、外キャップ３を緩め方向に回転させても、内キャップ２に緩め方向の力が伝わらず、容器１は開栓されない。
【００６８】
図２７は、図２６のキャップ２００をＸＸＶＩＩ−ＸＸＶＩＩ方向に見た断面図である。図２８は、図２６のキャップ２００をＸＸＶＩＩＩ−ＸＸＶＩＩＩ方向に見た断面図である。図２７および図２８では、締め方向は時計回りの方向であり、緩め方向は反時計回りの方向である。
【００６９】
図２７に示すように、内キャップ２の内側壁２０２の径方向外側表面（好ましくは、内組立用ストッパ２０９の径方向外側表面）には、周方向に互いに間隔を空けて配置された複数の内閉栓用突起２１０が設けられている。各内閉栓用突起２１０は、内組立用ストッパ２０９の径方向外側壁面に、径方向外向きから緩め方向に傾くように形成され、かつ、内閉栓用突起２１０の先端は、外キャップ３の本体３０１の外側壁３０３の径方向内側表面に周方向に摺動可能に接触している。内閉栓用突起２１０は、可撓性を有し、内キャップ２に対して外キャップ３が相対的に緩め方向に回転（空回り）することを許容する。
【００７０】
図２７に示すように、外キャップ３の本体３０１の外側壁３０３の径方向内側表面には、周方向に互いに間隔を空けて配置された複数の外閉栓用突起３１２が設けられている。各外閉栓用突起３１２の締め方向側面３１３は、外キャップ３の本体３０１の外側壁３０３の径方向内側表面に対して垂直であることが好ましい。あるいは、各外閉栓用突起３１２の締め方向側面３１３は、外キャップ３の本体３０１の外側壁３０３の径方向内側表面と鋭角をなすことが好ましい。各外閉栓用突起３１２の緩め方向側面３１４は、外側壁３０３の径方向内側表面に対して垂直であってもよいが、緩やかな斜面である（外側壁３０３の径方向内側表面と鈍角をなす）ことが好ましい。
【００７１】
初期状態において、内キャップ２に対して外キャップ３が相対的に締め方向に回された場合、外キャップ３の外閉栓用突起３１２の締め方向側面３１３が、内キャップ２の内閉栓用突起２１０の先端に接触してこれを押し、外キャップ３に加えられた締め方向の力が内キャップ２に伝わる。したがって、内キャップ２を締め方向に回転させて容器１を閉栓することができる。
【００７２】
他方で、内キャップ２に対して外キャップ３が相対的に緩め方向に回された場合、外キャップ３の外閉栓用突起３１２の緩め方向側面３１４が、内キャップ２の内閉栓用突起２１０の締め方向側面２１１に接触する。この状態から外キャップ３に更に緩め方向の力が加えられると、内キャップ２の内閉栓用突起２１０が可撓性を有するため、外キャップ３の外閉栓用突起３１２は、内キャップ２の内閉栓用突起２１０を超えて更に緩め方向に進むことができる。したがって、内キャップ２に対して外キャップ３が相対的に緩め方向に空回りし、内キャップ２に緩め方向の力が伝わらず、容器１を開栓することはできない。
【００７３】
本発明の第２実施形態では、初期状態において内キャップ２に対して相対的に外キャップ３を回転させても、連結部３２０は破断されない。初期状態からＣＲ状態へ移行させるには、外キャップ３の中央ボタン３５０を下方に押圧し、連結部３２０を破断させて中央ボタン３５０を押し下げる。これにより、内キャップ２の内噛合部２０７と外キャップ３の外噛合部３５３が噛み合う。ＣＲ状態のキャップ２００が有するＣＲ機能は、本発明の第１実施形態と同様である。
【００７４】
本発明の第１実施形態は、キャップ１００を緩め方向に回転させて容器１を開栓しようとすると中央ボタン３５０が落下する構成を有するものであったのに対し、本発明の第２実施形態は、中央ボタン３５０を押し下げない限り容器１を開栓することができない構成を有するものである。
【００７５】
本発明の第２実施形態によるキャップ２００も、本発明の第１実施形態によるキャップ１００と同様に、容器１が開栓されたことがあるか否かを一見するだけで知ることができ、かつ、改ざん行為を有効に防止できるタンパーエビデント機能と、ＣＲ機能とを提供する。さらに、本発明の第２実施形態によるキャップ２００は、２部品構成でタンパーエビデント機能とＣＲ機能の２つの機能を併せ持つものであり、コスト面においても有利である。
【符号の説明】
【００７６】
１  容器
２  内キャップ
３  外キャップ
１０  支持部
１００  キャップ
２０１  内天板部
２０２  内側壁
２０３  雌ねじ
２０４  外周リブ
２０５  内円筒壁
２０６  内係合部
２０７  内噛合部
２０８  内歯
２０９  内組立用ストッパ
２１０  内閉栓用突起
２１１  締め方向側面
３０１  本体
３０２  外天板部
３０３  外側壁
３０４  内向き突出部
３０５  傾斜面
３０６  垂直壁
３０７  外組立用ストッパ
３０８  軸方向リブ
３０９  傾斜面
３１０  内周リブ
３１１  被支持部
３１２  外閉栓用突起
３１３  締め方向側面
３１４  緩め方向側面
３２０  連結部
３３０  開口部
３５０  中央ボタン
３５１  突出部
３５２  スロープ
３５３  外噛合部
３５４  外歯
３５５  外円筒壁
３５６  外係合部
【図１】
2019182479.tif 000003
【図２】
2019182479.tif 000004
【図３】
2019182479.tif 000005
【図４】
2019182479.tif 000006
【図５】
2019182479.tif 000007
【図６】
2019182479.tif 000008
【図７】
2019182479.tif 000009
【図８】
2019182479.tif 000010
【図９】
2019182479.tif 000011
【図１０】
2019182479.tif 000012
【図１１】
2019182479.tif 000013
【図１２】
2019182479.tif 000014
【図１３】
2019182479.tif 000015
【図１４】
2019182479.tif 000016
【図１５】
2019182479.tif 000017
【図１６】
2019182479.tif 000018
【図１７】
2019182479.tif 000019
【図１８】
2019182479.tif 000020
【図１９】
2019182479.tif 000021
【図２０】
2019182479.tif 000022
【図２１】
2019182479.tif 000023
【図２２】
2019182479.tif 000024
【図２３】
2019182479.tif 000025
【図２４】
2019182479.tif 000026
【図２５】
2019182479.tif 000027
【図２６】
2019182479.tif 000028
【図２７】
2019182479.tif 000029
【図２８】
2019182479.tif 000030